【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
口座管理モジュールであって、
前記口座管理モジュールは前記主要口座に関連付けられ、一つ以上のプロセッサを用いて、二次的口座であって、前記二次的口座は支出口座、及び貯蓄口座を含み、依存資金源部および独立資金源部を有する二次的口座を主要口座へリンクし、
前記主要口座の名義人が、あるカテゴリ内またはある商店主への支出を限ることによって、二次的口座名義人に関連する前記二次的口座の前記依存資金源部内の資金にアクセスするおよび資金を使うことを制御することを可能にし、
前記二次的口座の名義人が前記独立資金源部内の資金を制御することを可能にする、前記口座管理モジュールを含むことを特徴とするシステム。
【請求項２】
前記口座管理モジュールは、セキュリティ管理モジュール、商店主制御モジュール、カテゴリ制御モジュール、市場制御モジュール、及び資金送金モジュールを含む群から選択されるモジュールを含む、
ことを特徴とする請求項１に記載のシステム。
【請求項３】
前記貯蓄口座、及び前記支出口座間の資金の送金を制御するための資金送金モジュールを含む、
ことを特徴とする請求項１に記載のシステム。
【請求項４】
前記二次的貯蓄口座で利子が得られることを可能にするための貯蓄モジュールを含む、
ことを特徴とする請求項１に記載のシステム。
【請求項５】
前記貯蓄モジュールは、前記貯蓄口座で得られる前記利子が、前記主要口座から利子補給されることを可能にする、
ことを特徴とする請求項４に記載のシステム。
【請求項６】
前記二次的口座の前記貯蓄口座の一部が、選択された目標のために確保されることを可能にするための貯蓄モジュールを含む、
ことを特徴とする請求項１に記載のシステム。
【請求項７】
前記選択された目標を満たすことによって、前記二次的口座の前記貯蓄口座の前記確保された一部からの資金で、前記選択された目標に関連付けられた特定の品目を購入するための、貯蓄目標購入モジュールを有する支払モジュールを含む、
ことを特徴とする請求項６に記載のシステム。
【請求項８】
‘実社会の’貯蓄、及び支出をシミュレートするための金融ゲームモジュールを含む、カスタマイジングモジュールを含む、
ことを特徴とする請求項１に記載のシステム。
【請求項９】
一つ以上のプロセッサを用いて、二次的口座であって、前記二次的口座は支出口座、及び貯蓄口座を含み、依存資金源部および独立資金源部を有する二次的口座へ主要口座をリンクするステップと、
前記二次的口座の名義人が前記独立資金源部内の資金を制御することを可能にする一方で、前記主要口座の名義人が前記口座管理モジュールを介して、あるカテゴリ内またはある商店主への支出を限ることによって、二次的口座名義人に関連する前記二次的口座の前記依存資金源部内の資金にアクセスするおよび資金を使うことを制御することを可能にするステップと、
を含むコンピュータが実行可能な方法。
【請求項１０】
前記口座管理モジュールは、セキュリティ管理モジュール、商店主制御モジュール、カテゴリ制御モジュール、市場制御モジュール、及び資金送金モジュールを含む群から選択されるモジュールを含む、
ことを特徴とする請求項９に記載の方法。
【請求項１１】
前記貯蓄口座、及び前記支出口座間の資金の送金を制御するステップを含む、
ことを特徴とする請求項９に記載の方法。
【請求項１２】
前記二次的口座の前記貯蓄口座で利子が得られることを可能にするステップを含む、
ことを特徴とする請求項９に記載の方法。
【請求項１３】
前記主要口座から、前記得られた利子の利子補給をするステップを含む、
ことを特徴とする請求項１２に記載の方法。
【請求項１４】
前記二次的口座の前記貯蓄口座の一部が、選択された目標のために確保されることを可能にするステップを含む、
ことを特徴とする請求項９に記載の方法。
【請求項１５】
前記選択された目標を満たすことによって、前記貯蓄口座の前記確保された一部からの資金で、前記選択された目標に関連付けられた特定の品目を購入するステップを含む、
ことを特徴とする請求項１４に記載の方法。
【請求項１６】
‘実社会の’貯蓄、及び支出をシミュレートするステップを含む、
ことを特徴とする請求項９に記載の方法。
【請求項１７】
一つ以上のプロセッサによって実装されたときに、以下の動作、すなわち、
関連付けられた口座管理モジュールを備えた主要口座へと二次的口座をリンクする動作であって、前記二次的口座は支出口座、及び貯蓄口座を含む、動作と、
前記二次的口座の名義人が前記独立資金源部内の資金を制御することを可能にする一方で、前記主要口座の名義人が前記口座管理モジュールを介して、あるカテゴリ内またはある商店主への支出を限ることによって、二次的口座名義人に関連する前記二次的口座の前記依存資金源部内の資金にアクセスするおよび資金を使うことを制御することを可能にする
前記口座管理モジュールを介して二次的口座名義人に対して前記二次的口座内の資金へのアクセスを制御する動作と、
を実施する、複数の命令を含む、マシンで読み出し可能な記憶媒体。
【請求項１８】
動作はさらに、前記貯蓄口座、及び前記支出口座間の資金の送金を制御することを含む、
ことを特徴とする請求項１７に記載のマシンで読み出し可能な記憶媒体。
【請求項１９】
動作はさらに、前記二次的口座の前記貯蓄口座で利子が得られることを可能にすることを含む、
ことを特徴とする請求項１７に記載のマシンで読み出し可能な記憶媒体。
【請求項２０】
主要口座ユーザインターフェイスであって、
主要口座へと二次的口座をリンクするための口座リンク機能であって、前記二次的口座は支出口座、及び貯蓄口座を含む、口座リンク機能と、
前記主要口座の名義人が、あるカテゴリ内またはある商店主への支出を限ることによって、二次的口座名義人に関連する前記二次的口座の前記依存資金源部内の資金にアクセスするおよび資金を使うことを制御することを可能にする口座管理機能であって、前記二次的口座の名義人が前記独立資金源部内の資金を制御することを可能にする口座管理機能を含む、主要口座ユーザインターフェイス。
【請求項２１】
前記口座管理機能は、セキュリティ管理機能、商店主制御機能、カテゴリ制御機能、市場制御機能、及び資金送金機能を含む群から選択される、
ことを特徴とする請求項２０に記載の主要口座ユーザインターフェイス。
【請求項２２】
前記貯蓄口座、及び前記支出口座間で資金の送金を制御するための資金送金機能を含む、
ことを特徴とする請求項２１に記載の主要口座ユーザインターフェイス。
【請求項２３】
前記二次的口座の前記貯蓄口座に利子が得られることを可能にするための、利付き貯蓄機能を含む、
ことを特徴とする請求項２０に記載の主要口座ユーザインターフェイス。
【請求項２４】
前記利付き貯蓄機能は、前記主要口座から、前記貯蓄口座に得られる前記利子が利子補給されることを可能にする、
ことを特徴とする請求項２３に記載の主要口座ユーザインターフェイス。
【請求項２５】
前記貯蓄口座の一部が、選択された目標のために確保されることを可能にするための貯蓄目標機能を含む、
ことを特徴とする請求項２０に記載の主要口座ユーザインターフェイス。
【請求項２６】
前記貯蓄目標機能は、前記選択された目標を満たすことによって、前記貯蓄口座の前記確保された一部からの資金で、前記選択された目標に関連付けられた特定の品目を購入する、
ことを特徴とする請求項２５に記載の主要口座ユーザインターフェイス。
【手続補正２】
【補正対象書類名】明細書
【補正対象項目名】００８８
【補正方法】変更
【補正の内容】
【００８８】
ブロック１８２０においては、二次的口座が口座開設モジュール２６０を使用して開設される。二次的口座記録は二次的口座テーブル３０４において設置される。二次的口座は主要口座の名義人によって開設されてもよく、主要口座へとリンクされてもよい。主要口座は、主要口座、及び二次的口座を運営するための口座運営モジュールを有してもよい。